(57)【要約】【課題】  電源コードのプラグを安価な構造で不測に動かないように収納すること。【解決手段】  電源コード２が後面１ａに接続された電気機器１の角部に４つの発泡合成樹脂製緩衝材Ｓ１〜Ｓ４を嵌合させた状態で該電気機器１を箱体内に収納する電気機器用梱包装置であって、前記各緩衝材Ｓ１〜Ｓ４のうち、電気機器１の後面１ａの一方の角部に嵌合する緩衝材Ｓ３がコード用緩衝材とされ、そのコード用緩衝材Ｓ３の正面Ｓａからその正面Ｓａに連なる外端面Ｓｂにかけてプラグ収納用窪部１３が凹設されると共に、該窪部１３からコード用緩衝材Ｓ３の外端面Ｓｂに沿ってそのコード用緩衝材Ｓ３の裏面Ｓｃまで延びるコード収納用溝部１４が凹設されており、電源コード２のプラグ３をプラグ収納用窪部１３に収納すると共に、その電源コード２の先端部をコード収納用溝部１４に収納する。【選択図】    図４
2009046154.tif 000002
【特許請求の範囲】
【請求項１】
電源コードが後面に接続された電気機器の角部に４つの発泡合成樹脂製緩衝材を嵌合さ
せた状態で該電気機器を箱体内に収納する電気機器用梱包装置であって、前記各緩衝材の
うち、電気機器の後面の一方の角部に嵌合する緩衝材がコード用緩衝材とされ、そのコー
ド用緩衝材の正面からその正面に連なる外端面にかけてプラグ収納用窪部が凹設されると
共に、該窪部からコード用緩衝材の外端面に沿ってそのコード用緩衝材の裏面まで延びる
コード収納用溝部が凹設されており、電源コードのプラグをプラグ収納用窪部に収納する
と共に、その電源コードの先端部をコード収納用溝部に収納するようにしたことを特徴と
する電気機器用梱包装置。
【請求項２】
前記コード用緩衝材の裏面の前記コード収納用溝部より下側にコード束収納用凹部が凹
設されており、電源コードを複数回折り曲げて結束具で結束することにより形成したコー
ド束の一端をコード束収納用凹部に収納するようにしたことを特徴とする請求項１に記載
の電気機器用梱包装置。
【請求項３】
前記４つの緩衝材が互いにつながれた状態で一体成形され、その一体成形品の各緩衝材
間の境界線に沿って切れ目が形成されており、その切れ目に沿って前記一体成形品を破断
することにより各緩衝材が分離可能に形成され、前記各緩衝材のうち、適当な隣接する２
つの緩衝材がリモコン用緩衝材とされ、該両リモコン用緩衝材の正面にその両リモコン用
緩衝材の上縁から境界線と交差するように下向きにポケットが凹設されており、前記一体
成形品を切れ目に沿って破断することにより分離された４つの緩衝材を電気機器の角部に
嵌合させ、その電気機器を箱体内に収納した後、電気機器用リモコンをポケットに収納す
ることを特徴とする請求項１または２に記載の電気機器用梱包装置。
【請求項４】
電源コードが後面に接続された電気機器の角部に４つの発泡合成樹脂製緩衝材を嵌合さ
せた状態で該電気機器を箱体内に収納する電気機器用梱包装置であって、前記４つの緩衝
材が互いにつながれた状態で一体成形され、その一体成形品の各緩衝材間の境界線に沿っ
て切れ目が形成されており、その切れ目に沿って前記一体成形品を破断することにより各
緩衝材が分離可能に形成され、前記各緩衝材のうち、適当な隣接する２つの緩衝材がリモ
コン用緩衝材とされ、該両リモコン用緩衝材の正面にその両リモコン用緩衝材の上縁から
境界線と交差するように下向きにポケットが凹設され、前記各緩衝材のうち、電気機器の
後面の一方の角部に嵌合する緩衝材がコード用緩衝材とされ、そのコード用緩衝材の正面
からその正面に連なる外端面にかけてプラグ収納用窪部が凹設されると共に、該窪部から
コード用緩衝材の外端面に沿ってそのコード用緩衝材の裏面まで延びるコード収納用溝部
が凹設され、前記コード用緩衝材の裏面の前記コード収納用溝部より下側にコード束収納
用凹部が凹設されており、前記一体成形品を切れ目に沿って破断することにより分離され
た４つの緩衝材を電気機器の角部に嵌合させ、電源コードを複数回折り曲げて結束具で結
束することにより形成したコード束の一端をコード束収納用凹部に収納し、該電源コード
のプラグをプラグ収納用窪部に収納すると共に、その電源コードの先端部をコード収納用
溝部に収納し、各緩衝材を介して電気機器を箱体内に収納した後、電気機器用リモコンを
ポケットに収納することを特徴とする電気機器用梱包装置。
【発明の詳細な説明】
【技術分野】
【０００１】
本発明は、例えばＤＶＤレコーダなどの電気機器を梱包するための電気機器用梱包装置
に関し、特に、電源コードのプラグを安価な構造で不測に動かないように収納するもので
ある。
【背景技術】
【０００２】
従来、電気機器用梱包装置の技術として図１０に示すものがあり、図１０（ａ）は同要
部の斜視図、図１０（ｂ）は同梱包状態の水平断面図である。
【０００３】
図１０（ａ）に示すように、電気機器１の角部に４つの発泡合成樹脂製緩衝材Ｓ１〜Ｓ
４を嵌合させ、該電気機器１の後面１ａに接続された電源コード２のプラグ３に段ボール
製パッド６を巻き付けると共に、該電源コード２を複数回折り曲げて結束具４で結束する
ことによりコード束２Ａが形成されており、図１０（ｂ）に示すように、各緩衝材Ｓ１〜
Ｓ４を介して電気機器１を段ボール製箱体５内に収納し、パッド６を巻き付けたプラグ３
及びコード束２Ａを電気機器１と箱体５との間の隙間αに差し込み、電気機器１を遠隔操
作するためのリモコンＲを取扱説明書７と一緒に透明合成樹脂製袋体８内に入れた状態で
電気機器１上に載置している。なお、図１０中、９は電気機器１の後面１ａに設けたファ
ンである。また、関連する技術として特許文献１に記載したものがある。
【特許文献１】特開２００６−１５１４７１号公報
【発明の開示】
【発明が解決しようとする課題】
【０００４】
上記従来の構成では、搬送中の振動や衝撃でプラグ３が電気機器１に接触してその電気
機器１が傷つけられないようにするため、そのプラグ３に段ボール製パッド６を巻き付け
ており、これでは、パッド６を用いている分だけ部品点数が増加すると共に、そのパッド
６を巻き付けるのに手間がかかって面倒であり、製作費が高くつく。
【０００５】
また、リモコンＲが電気機器１の上面に載置されているだけであるから、落下試験や運
搬中の落下などにより、そのリモコンＲが衝撃的に移動して損傷されるおそれがある。
【０００６】
本発明は、上記従来の欠点に鑑み、電源コードのプラグやリモコンを安価な構造で不測
に動かないように収納することができるようにした電気機器用梱包装置を提供することを
目的としている。
【課題を解決するための手段】
【０００７】
上記目的を達成するため、請求項１に記載の発明は、電源コードが後面に接続された電
気機器の角部に４つの発泡合成樹脂製緩衝材を嵌合させた状態で該電気機器を箱体内に収
納する電気機器用梱包装置であって、前記各緩衝材のうち、電気機器の後面の一方の角部
に嵌合する緩衝材がコード用緩衝材とされ、そのコード用緩衝材の正面からその正面に連
なる外端面にかけてプラグ収納用窪部が凹設されると共に、該窪部からコード用緩衝材の
外端面に沿ってそのコード用緩衝材の裏面まで延びるコード収納用溝部が凹設されており
、電源コードのプラグをプラグ収納用窪部に収納すると共に、その電源コードの先端部を
コード収納用溝部に収納するようにしたことを特徴としている。
【０００８】
請求項２に記載の発明は、請求項１に記載の発明において、前記コード用緩衝材の裏面
の前記コード収納用溝部より下側にコード束収納用凹部が凹設されており、電源コードを
複数回折り曲げて結束具で結束することにより形成したコード束の一端をコード束収納用
凹部に収納するようにしたことを特徴としている。
【０００９】
請求項３に記載の発明は、請求項１または２に記載の発明において、前記４つの緩衝材
が互いにつながれた状態で一体成形され、その一体成形品の各緩衝材間の境界線に沿って
切れ目が形成されており、その切れ目に沿って前記一体成形品を破断することにより各緩
衝材が分離可能に形成され、前記各緩衝材のうち、適当な隣接する２つの緩衝材がリモコ
ン用緩衝材とされ、該両リモコン用緩衝材の正面にその両リモコン用緩衝材の上縁から境
界線と交差するように下向きにポケットが凹設されており、前記一体成形品を切れ目に沿
って破断することにより分離された４つの緩衝材を電気機器の角部に嵌合させ、その電気
機器を箱体内に収納した後、電気機器用リモコンをポケットに収納することを特徴として
いる。
【００１０】
請求項４に記載の発明は、電源コードが後面に接続された電気機器の角部に４つの発泡
合成樹脂製緩衝材を嵌合させた状態で該電気機器を箱体内に収納する電気機器用梱包装置
であって、前記４つの緩衝材が互いにつながれた状態で一体成形され、その一体成形品の
各緩衝材間の境界線に沿って切れ目が形成されており、その切れ目に沿って前記一体成形
品を破断することにより各緩衝材が分離可能に形成され、前記各緩衝材のうち、適当な隣
接する２つの緩衝材がリモコン用緩衝材とされ、該両リモコン用緩衝材の正面にその両リ
モコン用緩衝材の上縁から境界線と交差するように下向きにポケットが凹設され、前記各
緩衝材のうち、電気機器の後面の一方の角部に嵌合する緩衝材がコード用緩衝材とされ、
そのコード用緩衝材の正面からその正面に連なる外端面にかけてプラグ収納用窪部が凹設
されると共に、該窪部からコード用緩衝材の外端面に沿ってそのコード用緩衝材の裏面ま
で延びるコード収納用溝部が凹設され、前記コード用緩衝材の裏面の前記コード収納用溝
部より下側にコード束収納用凹部が凹設されており、前記一体成形品を切れ目に沿って破
断することにより分離された４つの緩衝材を電気機器の角部に嵌合させ、電源コードを複
数回折り曲げて結束具で結束することにより形成したコード束の一端をコード束収納用凹
部に収納し、該電源コードのプラグをプラグ収納用窪部に収納すると共に、その電源コー
ドの先端部をコード収納用溝部に収納し、各緩衝材を介して電気機器を箱体内に収納した
後、電気機器用リモコンをポケットに収納することを特徴としている。
【発明の効果】
【００１１】
請求項１に記載の発明によれば、電源コードのプラグをコード用緩衝材のプラグ収納用
窪部に収納しているから、該プラグが搬送中の振動や衝撃で動揺して電気機器に接触する
ことによりその電気機器が傷つけられるという事故を確実に解消することができ、特に、
従来のプラグに巻き付けるための段ボール製パッドが不要であり、その不要となったパッ
ドの分だけ部品点数を少なくすることができると共に、そのパッドの巻付け作業も不要で
あるから、製作費が安くつく。
【００１２】
また、プラグをプラグ収納用窪部に差し込むと共に、電源コードの先端部をコード収納
用溝部に差し込むだけで、そのプラグ及び電源コードの先端部を所定位置に不測に動かな
いように収納することができ、使い勝手が良い。
【００１３】
請求項２に記載の発明によれば、電源コードのコード束の一端をコード束収納凹部に差
し込むだけで、その電源コードを電気機器と箱体との間の隙間に不測に動かないように効
率よく収納することができる。
【００１４】
請求項３に記載の発明によれば、２つのリモコン用緩衝材に凹設したポケットにリモコ
ンが収納されているから、落下試験や運搬中の落下などにより衝撃がかかっても、該リモ
コンが従来のように衝撃的に移動して損傷されるおそれがなく、そのリモコンを落下衝撃
から確実に保護することができる。
【００１５】
前記４つの緩衝材を一体成形すると同時にプラグ収納用窪部、コード収納用溝部、コー
ド束収納用凹部及びポケットを凹設するようになっており、その凹設のための特別の工程
が不要であるから、その不要となった分だけ経済的である。
【００１６】
請求項４に記載の発明は実施の一形態（図１〜図９参照）に対応するものであって、こ
れによれば、電源コードのプラグをコード用緩衝材のプラグ収納用窪部に収納しているか
ら、該プラグが搬送中の振動や衝撃で動揺して電気機器に接触することによりその電気機
器が傷つけられるという事故を確実に解消することができ、特に、従来のプラグに巻き付
けるための段ボール製パッドが不要であり、その不要となったパッドの分だけ部品点数を
少なくすることができると共に、そのパッドの巻付け作業も不要であるから、製作費が安
くつく。
【００１７】
また、プラグをプラグ収納用窪部に差し込むと共に、電源コードの先端部をコード収納
用溝部に差し込むだけで、そのプラグ及び電源コードの先端部を所定位置に不測に動かな
いように収納することができると共に、電源コードのコード束の一端をコード束収納凹部
に差し込むだけで、その電源コードを電気機器と箱体との間の隙間に不測に動かないよう
に効率よく収納することができ、使い勝手が良い。
【００１８】
更に、２つのリモコン用緩衝材に凹設したポケットにリモコンが収納されているから、
落下試験や運搬中の落下などにより衝撃がかかっても、該リモコンが従来のように衝撃的
に移動して損傷されるおそれがなく、そのリモコンを落下衝撃から確実に保護することが
できる。
【００１９】
前記４つの緩衝材を一体成形すると同時にプラグ収納用窪部、コード収納用溝部、コー
ド束収納用凹部及びポケットを凹設するようになっており、その凹設のための特別の工程
が不要であるから、その不要となった分だけ経済的である。
【発明を実施するための最良の形態】
【００２０】
図１〜図９は本発明の実施の一形態である電気機器用梱包装置を示すものであって、図
１は同梱包状態の水平断面図、図２は図１のＡ−Ａ矢視図、図３は図１のＢ−Ｂ矢視図、
図４は同要部の斜視図、図５は同４つの緩衝材からなる一体成形品の分解斜視図、図６（
ａ）は同一体成形品の平面図、図６（ｂ）は同一体成形品の正面図、図６（ｃ）は同一体
成形品の側面図、図６（ｄ）は同一体成形品の底面図、図７は図６（ｂ）のＣ−Ｃ矢視図
、図８（ａ）は図６（ｂ）のＤ−Ｄ矢視図、図８（ｂ）は図６（ｂ）のＥ−Ｅ矢視図、図
８（ｃ）は図６（ｂ）のＦ−Ｆ矢視図、図８（ｄ）は図６（ｂ）のＧ−Ｇ矢視図、図９は
同各緩衝材を分離した状態の正面図である。
【００２１】
図６〜図８に示すように、４つの緩衝材Ｓ１〜Ｓ４が互いにつながった状態で成形金型
により一体成形され、その一体成形品Ｓの各緩衝材Ｓ１〜Ｓ４間の境界線Ｋに沿って切れ
目１０が形成され、その切れ目１０に沿って一体成形品Ｓを破断することにより各緩衝材
Ｓ１〜Ｓ４が分離可能に形成されている（図９参照）。
【００２２】
図５〜図７に示すように、各緩衝材Ｓ１〜Ｓ４のうち、適当な隣接する２つの緩衝材Ｓ
３，Ｓ４がリモコン用緩衝材Ｓ３，Ｓ４とされ、該両リモコン用緩衝材Ｓ３，Ｓ４の正面
Ｓａにその両リモコン用緩衝材Ｓ３，Ｓ４の上縁から境界線Ｋと交差するように下向きに
ポケットＰが凹設されている。
【００２３】
図１及び図５〜図８に示すように、各緩衝材Ｓ１〜Ｓ４のうち、電気機器１の後面１ａ
の一方の角部に嵌合する緩衝材Ｓ３がコード用緩衝材Ｓ３とされ、そのコード用緩衝材Ｓ
３の正面Ｓａからその正面Ｓａに連なる外端面Ｓｂにかけてプラグ収納用窪部１３が凹設
されると共に、該窪部１３からコード用緩衝材Ｓ３の外端面Ｓｂに沿ってそのコード用緩
衝材Ｓ３の裏面Ｓｃまで延びるコード収納用溝部１４が凹設され、前記コード用緩衝材Ｓ
３の裏面Ｓｃの前記コード収納用溝部１４より下側にコード束収納用凹部１５が凹設され
ている。なお、図５中、１６は各緩衝材Ｓ１〜Ｓ４の外周面に形成した肉盗み用凹部、図
８中、１７は各緩衝材Ｓ１〜Ｓ４の裏面Ｓｃに形成されて電気機器１の角部に嵌合する嵌
合凹部である。上記以外の構成は図１０に示す構成とほぼ同じであるから、同一部分に同
一符号を付してその説明を省略する。
【００２４】
梱包手順を説明すると、図４に示すように、一体成形品Ｓを切れ目１０に沿って破断す
ることにより分離された４つの緩衝材Ｓ１〜Ｓ４を電気機器１の角部に嵌合させ、電源コ
ード２のコード束２Ａの一端をコード束収納用凹部１５に収納し、該電源コード２のプラ
グ３をプラグ収納用窪部１３に収納すると共に、その電源コード２の先端部をコード収納
用溝部１４に収納し、図１〜図３に示すように、各緩衝材Ｓ１〜Ｓ４を介して電気機器１
を箱体５内に収納した後、リモコンＲをポケットＰに収納する。
【００２５】
上記構成によれば、電源コード２のプラグ３をコード用緩衝材Ｓ３のプラグ収納用窪部
１３に収納しているから、該プラグ３が搬送中の振動や衝撃で動揺して電気機器１に接触
することによりその電気機器１が傷つけられるという事故を確実に解消することができ、
特に、従来のプラグ３に巻き付けるための段ボール製パッド６（図１０参照）が不要であ
り、その不要となったパッド６の分だけ部品点数を少なくすることができると共に、その
パッド６の巻付け作業も不要であるから、製作費が安くつく。
【００２６】
また、プラグ３をプラグ収納用窪部１３に差し込むと共に、電源コード２の先端部をコ
ード収納用溝部１４に差し込むだけで、そのプラグ３及び電源コード２の先端部を所定位
置に不測に動かないように収納することができると共に、電源コード２のコード束２Ａの
一端をコード束収納用凹部１５に差し込むだけで、その電源コード２を電気機器１と箱体
５との間の隙間αに不測に動かないように効率よく収納することができ（図１及び図２参
照）、使い勝手が良い。
【００２７】
更に、２つのリモコン用緩衝材Ｓ３，Ｓ４に凹設したポケットＰにリモコンＲが収納さ
れているから、落下試験や運搬中の落下などにより衝撃がかかっても、該リモコンＲが従
来のように衝撃的に移動して損傷されるおそれがなく、そのリモコンＲを落下衝撃から確
実に保護することができる。
【００２８】
前記４つの緩衝材Ｓ１〜Ｓ４を一体成形すると同時にプラグ収納用窪部１３、コード収
納用溝部１４、コード束収納用凹部１５及びポケットＰを凹設するようになっており、そ
の凹設のための特別の工程が不要であるから、その不要となった分だけ経済的である。
【００２９】
上記実施の一形態では、緩衝材Ｓ３がコード用緩衝材とリモコン用緩衝材とに兼用され
ているが、これに限定されるわけではなく、例えば緩衝材Ｓ２をコード用緩衝材としても
よいし、緩衝材Ｓ１，Ｓ２をリモコン用緩衝材として使用してもよい。
【図面の簡単な説明】
【００３０】
【図１】本発明の実施の一形態である電気機器用梱包装置における梱包状態の水平断面図である。
【図２】図１のＡ−Ａ矢視図である。
【図３】図１のＢ−Ｂ矢視図である。
【図４】同要部の斜視図である。
【図５】同４つの緩衝材からなる一体成形品の分解斜視図である。
【図６】（ａ）は同一体成形品の平面図、（ｂ）は同一体成形品の正面図、（ｃ）は同一体成形品の側面図、（ｄ）は同一体成形品の底面図である。
【図７】図６（ｂ）のＣ−Ｃ矢視図である。
【図８】（ａ）は図６（ｂ）のＤ−Ｄ矢視図、（ｂ）は図６（ｂ）のＥ−Ｅ矢視図、（ｃ）は図６（ｂ）のＦ−Ｆ矢視図、（ｄ）は図６（ｂ）のＧ−Ｇ矢視図である。
【図９】同各緩衝材を分離した状態の正面図である。
【図１０】（ａ）は従来例の要部の斜視図、（ｂ）は同梱包状態の水平断面図である。
【符号の説明】
【００３１】
１            電気機器
１ａ          電気機器の後面
２            電源コード
２Ａ          電源コードのコード束
３            プラグ
４            結束具
５            箱体
１０          切れ目
１３          プラグ収納用窪部
１４          コード収納用溝部
１５          コード束収納用凹部
Ｓ            一体成形品
Ｓ１          緩衝材
Ｓ２          緩衝材
Ｓ３          緩衝材（コード用緩衝材、リモコン用緩衝材）
Ｓ４          緩衝材（リモコン用緩衝材）
Ｒ            リモコン
Ｋ            境界線
Ｐ            ポケット
【図１】
2009046154.tif 000003
【図２】
2009046154.tif 000004
【図３】
2009046154.tif 000005
【図４】
2009046154.tif 000006
【図５】
2009046154.tif 000007
【図６】
2009046154.tif 000008
【図７】
2009046154.tif 000009
【図８】
2009046154.tif 000010
【図９】
2009046154.tif 000011
【図１０】
2009046154.tif 000012